(57)【要約】【課題】  断熱性能を最も効率的に発揮できる断熱パネル構造、液化ガス貯蔵容器、及び断熱パネル構造の製造方法、並びに液化ガス貯蔵容器の製造方法を提供すること。【解決手段】  本発明の一実施態様に係る断熱パネル構造は、四辺を形成する枠材及び該枠材にて囲まれる面を有するベース部と、前記ベース部の上に配置されシート状に展開できる断熱シート材及び前記断熱シート材と略同様の表面積を有するスペーサ材がそれぞれ１枚以上交互に積層されてなる断熱層部と、前記ベース部に係る前記面と前記断熱層とを前記面に略直交する方向に枢支する枢支部とを具備して構成される。【選択図】図８
2019183427.tif 000002
【特許請求の範囲】
【請求項１】
四辺を形成する枠材及び該枠材にて囲まれる面を有するベース部と、
前記ベース部の上に配置されシート状に展開できる断熱シート材及び前記断熱シート材と略同様の表面積を有するスペーサ材がそれぞれ１枚以上交互に積層されてなる断熱層部と、
前記ベース部に係る前記面と前記断熱層とを前記面に略直交する方向に枢支する枢支部と
を具備することを特徴とする断熱パネル構造。
【請求項２】
四辺を形成する枠材及び該枠材にて囲まれる面を有するベース部と、
前記ベース部の上に配置されたシート状の第１の複数の断熱シート材及び前記第１の複数の断熱シート材を構成する各々の断熱シート材の間にスペーサ材が積層されてなる第１の断熱層部と、
前記第１の断熱層部の上に配置されたシート状の第２の複数の断熱シート材及び前記第２の複数の断熱シート材を構成する各々の断熱シート材の間にスペーサ材が積層されてなる第２の断熱層部であって、前記第１の断熱層部と正面視変位して配置された第２の断熱層部と、
前記ベース材に係る前記面、前記第１の断熱層、前記第２の断熱層の重合箇所を前記面に略直交する方向に枢支する枢支部と
を具備することを特徴とする断熱パネル構造。
【請求項３】
前記枠材は直線材であり、前記面は平面材にて形成される
ことを特徴とする請求項１もしくは２記載の断熱パネル構造。
【請求項４】
前記枠材は曲線材であり、前記面は曲面材にて形成される
ことを特徴とする請求項１もしくは２記載の断熱パネル構造。
【請求項５】
前記断熱シート材は低輻射性材にて形成される
ことを特徴とする請求項１〜４のうち１項記載の断熱パネル構造。
【請求項６】
前記低輻射性材は両面又は片面にアルミニウム蒸着したＰＥｓ（ポリエステル樹脂）から成る
ことを特徴とする請求項５記載の断熱パネル構造。
【請求項７】
前記スペーサ材はＰＥｓ不織布から成る
ことを特徴とする請求項１〜６のうち１項記載の断熱パネル構造。
【請求項８】
前記枢支部は前記メッシュに係る網目を通る軸部と該軸部と直交して前記軸部の両端部に設けられた留部とを有する
ことを特徴とする請求項１〜７のうち１項記載の断熱パネル構造。
【請求項９】
前記枢支部は樹脂製からなることを特徴とする請求項１〜８のうち１項記載の断熱パネル構造。
【請求項１０】
前記枢支部はＰＥＥＫ（ポリエーテルエーテルケトン樹脂）から成ることを特徴とする請求項９記載の断熱パネル構造。
【請求項１１】
前記ベース部に係る面はメッシュにて形成される
ことを特徴とする請求項１〜１０のうち１項記載の断熱パネル構造。
【請求項１２】
前記メッシュは金属性からなることを特徴とする請求項１１記載の断熱パネル構造。
【請求項１３】
前記メッシュはステンレスから成ることを特徴とする請求項１２記載の断熱パネル構造。
【請求項１４】
前記枠材に付設され、液化ガス貯蔵容器の内壁もしくは外壁に取り付けるための繋ぎ部をさらに具備することを特徴とする請求項１〜１３のうち１項記載の断熱パネル構造。
【請求項１５】
前記ベース部及び前記断熱層部が設置される空間は真空であることを特徴とする請求項１〜１４のうち１項記載の断熱パネル構造。
【請求項１６】
液化ガスを内部に貯蔵するための内容器と、
前記内容器を外挿するように配置される外容器と、
前記内容器と前記外容器との間に配置され真空状態にある間隙部と
を有し、前記外容器の内壁真空面もしくは前記内容器の真空状態側外壁には請求項１〜１５のうち１項記載の断熱パネル構造が密に取り付けられていることを特徴とする液化ガス貯蔵容器。
【請求項１７】
シート状に展開できる低輻射性材及び前記低輻射性材と略同様の表面積を有するスペーサ材がそれぞれ１枚以上交互に積層されてなる断熱層部を複数層、四辺を形成する枠材及び該枠材にて囲まれる面を有するベース部の上に、直上下の層が正面視変位するように配設し前記複数層の断熱層部及び前記ベース部を前記面に略直交する方向に枢支部で枢支する第１のステップと、
前記第１のステップにおいて前記ベース部と前記複数層の断熱層部とが前記枢支部で枢支された断熱パネル構造を液化ガス貯蔵容器の施工現場に搬入し、前記枠材に付設された繋ぎ部を介して前記液化ガス貯蔵容器の外容器の内壁面もしくは内容器の外壁面に取り付ける第２のステップと
を具備することを特徴とする断熱パネル構造の製造工法。
【請求項１８】
液化ガスを内部に貯蔵するための内容器を施工する第１のステップと、
前記内容器との間に間隙部を設けて前記内容器を外挿するように配置される外容器を施工する第２のステップと、
シート状に展開できる低輻射性材及び前記低輻射性材と略同様の表面積を有するスペーサ材がそれぞれ１枚以上交互に積層されてなる断熱層部を複数層、四辺を形成する枠材及び該枠材にて囲まれる面を有するベース部の上に、直上下の層が正面視変位するように配設し前記複数層の断熱層部及び前記ベース部を前記面に略直交する方向に枢支部で枢支されて予め形成された断熱パネル構造を施工現場に搬入する第３のステップと、
前記第３のステップにおいて搬入された前記断熱パネル構造を位置決めし、前記枠材に付設された繋ぎ部を介して前記液化ガス貯蔵容器の外容器の内壁面もしくは内容器の外壁面に取り付ける第４のステップと
を具備することを特徴とする液化ガス貯蔵容器の製造工法。
【発明の詳細な説明】
【技術分野】
【０００１】
本発明は、たとえば断熱パネル構造、液化ガス貯蔵容器、及び断熱パネル構造の製造方法、並びに液化ガス貯蔵容器の製造方法に関する。
【背景技術】
【０００２】
天然ガスは−１６２℃（参考：窒素ガスでは−１９６℃）以下の低温で液化し、水素は−２５３℃以下で液化する。その液化ガスを貯蔵し、又は輸送するために用いられる容器は、この低温を維持することが要求される。この容器は、液化ガスが収容される内容器とその内容器の外側に間隔を隔てて装備される外容器とから成る二重構造とされ、内容器と外容器との間隔は高真空状態にされる。真空状態は熱伝導及び熱対流がなく断熱作用に優れているからである。
【０００３】
この容器の構造については、断熱性を高めるため、内容器の外表面をシート状の断熱材で囲み覆うことがなされている。従来、このシート状断熱材の固定は、面ファスナーの使用が一般的とされている。
【０００４】
しかしながら、面ファスナーは、正確な取り付けが難しく、断熱材の隙間や位置の修正による断熱材のゆがみが断熱性能の低下をもたらしている。また、面ファスナーは縫製により断熱材へ取付けるため、面ファスナーの適用自体が断熱性能の低下をもたらしている。
【先行技術文献】
【特許文献】
【０００５】
【特許文献１】特開２０１７−１９４１６６号公報
【０００６】
先行技術である特許文献１には、液化ガス保持タンク２が液化ガスを貯留する内槽３と、内槽３との間に真空空間２０を確保する外槽４と、外槽４の外側面を覆う非常用断熱層６と、を備えることにより、非常用断熱層６が真空空間２０内に配置されていないことから、真空空間２０の真空度が時間経過と共に劣化することを抑制することができる、とする技術思想が開示されている。しかし、例えば液体水素の貯蔵のように極低温を要求される貯蔵容器の断熱容器としては十分な機能を発揮し得ていないと指摘せざるを得ない。
【０００７】
特に、極低温液である液体水素タンクの断熱については、熱侵入による気化を防ぐために、従来の断熱方法よりも高い断熱が要求されている。断熱材は注意深く製作・施工することで高い断熱性能を示すことができるが、実際には高性能断熱材の断熱性能を劣化なく大型タンクに施工することは非常に難しいのが現状である。
【０００８】
断熱材の性能劣化の原因はいろいろと考えられるが、本発明者が考察した結果、次のようにまとめられる。
【０００９】
＜１．多層断熱材の層間接触の増加＞
多層断熱材はフィルム状の赤外線反射層と不織布などの多層構造であるため、柔軟で自由度の高い断熱材となっているが、その反面、組み立てのための縫製や折れ曲がり・引張による層間の接触度合いが悪化し、性能を劣化させる。またタンクへの取り付けは、取付面が鉛直な壁や天井面への取り付けなど様々な施工条件があり、多層断熱材に大きな変形負荷のない状態で取り付けすることは難しい。
【００１０】
＜２．多層断熱材の隙間の発生＞
多層断熱材は、幅１〜２ｍ程度のフィルムと不織布で構成されている。このため、大型タンク用断熱材は、分割で製作する必要がある。分割された断熱材はタンクへ隙間なく施工されているのが理想であるが、断熱材の公差やタンクへの施工で発生する誤差で設計外の隙間や重なりが発生してしまい、このことが断熱性能を劣化させてしまう原因となっている。
【発明の概要】
【発明が解決しようとする課題】
【００１１】
本発明はこうした従来技術上の問題点を解決することを企図したものであり、断熱性能を最も効率的に発揮できる断熱パネル構造、液化ガス貯蔵容器、及び断熱パネル構造の製造方法、並びに液化ガス貯蔵容器の製造方法を提供することをその課題とする。また、低温液体ガス貯蔵のための容器本体の製造安全性及び製造作業性を格段に向上させつつ、経済効率も格段に向上させることの可能な断熱パネル構造、液化ガス貯蔵容器、及び断熱パネル構造の製造方法、並びに液化ガス貯蔵容器の製造方法を提供することをも課題とする。ここで、「液化ガス貯蔵容器」における「容器」とは、いわゆる可搬性のある容器、貯留タンクのみならず、固定的な容器、貯留タンクを含む概念である（以下同じ）。
【００１２】
本発明のさらなる課題は、取り扱い易い断熱材の構造を持ち、液化ガス貯蔵用の容器に断熱材を止着固定が容易であり、かつ精度を確保でき、断熱性能を最も効率的に発揮できる、断熱パネル構造、液化ガス貯蔵容器、及び断熱パネル構造の製造方法、並びに液化ガス貯蔵容器の製造方法を提供することである。
【００１３】
さらには、断熱材の構造と断熱材の止着固定方法に着目した場合に、特に液化ガスを貯蔵するタンクに対し、内外槽間の真空状態を保持して、収容された液化ガスからの吸熱と、外部からの放熱とを遮断して良好な液化状態を長時間維持することのできる断熱材の構造及び断熱材の止着固定方法が具現化されたものとしての、断熱パネル構造、液化ガス貯蔵容器、及び断熱パネル構造の製造方法、並びに液化ガス貯蔵容器の製造方法を提供することも本願のまた別の課題である。
【課題を解決するための手段】
【００１４】
かかる課題を解決するため、本発明に係る断熱パネル構造は、四辺を形成する枠材及び該枠材にて囲まれる面を有するベース部と、前記ベース部の上に配置されシート状に展開できる断熱シート材及び前記断熱シート材と略同様の表面積を有するスペーサ材がそれぞれ１枚以上交互に積層されてなる断熱層部と、前記ベース部に係る前記面と前記断熱層とを前記面に略直交する方向に枢支する枢支部とを具備して構成される。
【００１５】
あるいは、本発明に係る断熱パネル構造は、四辺を形成する枠材及び該枠材にて囲まれる面を有するベース部と、前記ベース部の上に配置されたシート状の第１の複数の断熱シート材及び前記第１の複数の断熱シート材を構成する各々の断熱シート材の間にスペーサ材が積層されてなる第１の断熱層部と、前記第１の断熱層部の上に配置されたシート状の第２の複数の断熱シート材及び前記第２の複数の断熱シート材を構成する各々の断熱シート材の間にスペーサ材が積層されてなる第２の断熱層部であって、前記第１の断熱層部と正面視変位して配置された第２の断熱層部と、前記ベース材に係る前記面、前記第１の断熱層、前記第２の断熱層の重合箇所を前記面に略直交する方向に枢支する枢支部とを具備して構成される。
【００１６】
ここで、面とは、平面であっても曲面であってもよい。これに応じて、枠材は直線材であっても曲線材であってもよい。なお、本願発明が適用される、たとえば液化ガス貯蔵容器は全体的には円環状の胴部を持つものであるから、巨視的には曲面であるが、微視的には略平面といえる。したがって、本願発明において、「平面」としたものは、厳密には「略平面」であるものも含まれる概念として用いている。
【００１７】
ここで、ベース部とは、面部の四周が枠材によって囲まれる構造を有するものが典型として挙げられる。ベース部に係る面は好適にはメッシュにて形成され、より好適には、金属製のメッシュ（網目構造）とし、さらに好ましくはステンレス製のメッシュとする。ベース部に係る面は、メッシュ構造に限定されるわけではなく、一定の剛性及び面応力を備えた材料であれば特に限定はされない。
【００１８】
また、断熱シート材は、好適には低輻射性材にて形成され、さらに好適には、この低輻射性材は両面又は片面にアルミニウム蒸着したＰＥｓ（ポリエステル樹脂）から成るが、これらに限定されるものではなく、一定の断熱性を有する材であれば採用してよい。また、スペーサ材はＰＥｓ不織布から成るのが好ましいが、これに限定されるわけではなく、要は、断熱シート材が積層されたときに熱伝導を遮断できる素材・形状であれば様々なものが採用され得る。
【００１９】
断熱層部とは、かかる断熱シート材と同じくシート状のスペーサ材とが交互に一定の層数積層されて構成される。この層数とは、たとえば２０層とすることができるが、この数値に限定されるわけでなく、一定の層厚が確保され、それぞれの断熱シート材が熱的に縁切りされていればよい。こうした断熱層部は、たとえば液化ガス貯蔵容器に用いることが可能に構成される。
【００２０】
この場合、断熱層部は、前記パネル面の右下方向に適量寸法ずらして固定される。また、断熱層部が複数積層される場合には、パネル面の直上にある第１の断熱層部と該第１の断熱層部に重ねられる第２の断熱層部は、正面視で変位して、すなわちたとえば前記パネル面の左上方向に適量寸法ずらして配置される。
【００２１】
このときの固定には、枢支部が用いられる。枢支部はフラット状の面部（上述したように、好適にはメッシュに係る網目）を通る軸部と該軸部と直交して前記軸部の両端部に設けられた留部とを有する構成をとるのが好ましく、より好適には枢支部は樹脂製からなり、さらに好適には、枢支部はＰＥＥＫ（ポリエーテルエーテルケトン樹脂）から成るが、枢支部としての素材、形状はこれらに限定されるわけではなく、要は一定の熱遮断性能を持つものであればいずれの素材・形状であってもよい。この枢支部とは、たとえばこの上に第３の断熱層部が配置される場合には、同様に、第２の断熱層部に対して第３の断熱層部は、第２の断熱層部の更に左上方向にずらして固定される。
【００２２】
すなわち、断熱性能劣化の対策として、本願に係る技術思想は次の諸点を含む。
＜断熱性能劣化対策１＞
断熱材は、取付作業の制限の多いタンクへ直接施工するのではなく、多層断熱材の扱いに長けた、断熱材製造メーカーがタンク用準備された取付枠に取り付けるものとする。取付枠は金属フレームなどの剛体であるため、タンクへの取り付けの際はデリケートな多層断熱材を劣化させずに取り扱うことができる。また多層断熱材の組み立てや取付枠への取り付けは、ＰＥＥＫ（ポリエーテルエーテルケトン樹脂）から成る枢支部（以下、「ＰＥＥＫ−ＰＩＮ」ともいう。）を用いることで性能劣化の少ない施工が可能になる。
【００２３】
＜断熱性能劣化対策２＞
取付枠は、断熱材と比較して公差の設定を厳しく設定できる。このため、取付枠につけた穴とタンク壁面のボルトとの関係を適切に設定することで、断熱材間に発生する隙間を従来よりも少ない公差に収めることができる。高性能断熱材を少ない劣化で取り付けるには、設計の意図を理解した訓練された施工者が必要であるが、断熱材を取付枠に取り付けたことにより、タンクへの取付はボルトナットの組み合わせでの施工が中心となり、取付作業誤差と取付工費の縮小を期待することができる。
【００２４】
＜断熱性能劣化対策３＞
様々な種類のタンク向けに、取付枠そのものやスタットボルトの適用において工夫する（さらに誤差縮小のための工夫を含む）。これら断熱性能劣化対策１〜３については、後述で詳細に説明する。
【００２５】
たとえば、本発明に係る断熱パネル構造を用いて液化ガス貯蔵容器が形成される場合に、パネル面に固定された第１の断熱層部が、このパネル面のたとえば左下方向に適量寸法ずらして固定され、第２の断熱層部が、第１の断熱層部の右上方向に適量寸法ずらして固定され、且つ第２の断熱層部に重ねられる第３の断熱層部が、第２の断熱層部の更に右上方向にずらして固定されるというように、それぞれの断熱層部がその直下の断熱層部もしくはパネル面に対して適量寸法ずらして固定される構造を形成することができる。
【００２６】
すなわち、第１の断熱層部と第２の断熱層部とが、ベース材を有する枠体に対して斜め方向逆側に適度にずれて重ねられており、パネル全体として例えば液化ガス貯蔵容器の壁面に密接して並べ設置された場合、お互いの断熱層端部同士の隣接間隙をいずれかの断熱層が覆う構造となることができる。このとき、上記右下及び左上の方向等については、ひとつの方向性の例示であって、これらはある点を中心点として考えた場合に、当該中心点に関してそれぞれの変位が略対称となるようにずれていれば良い。
【００２７】
また、上記において、第３の断熱層部を有する場合、当該第３の断熱層部は第２の断熱層部端部の止着機能を持つことの他、上記断熱層の覆いができないパネル四方コーナー端部を覆うことができる。これにより、液体ガス貯蔵容器の壁面は全て多層からなる断熱層部で完全に覆うことができ、断熱機能を著しく向上させることができる。
【００２８】
上記断熱層部の上記パネルへの重ね固定は、第１、第２、第３の断熱層部のように計２層、３層に限定されず、それ以上の多層であっても良いことは言うまでもない。また第１、第２、第３の多層からなる断熱層部は各々のシートの４辺及び４頂点端部における隙間を互いに隠しあうための適量寸法ずらした重ね合わせを実現する一態様であるため、重ね合わせの順番を変えても本発明の技術思想内である。
【００２９】
上記のあらゆる態様において、上記枠材に付設され、液化ガス貯蔵容器の内壁に取り付けるための繋ぎ部をさらに具備する構成とすることができる。この繋ぎ部とは、好適には金属製のアングル材で一片にたとえばボルトの軸を挿通させる孔が穿設されている構造とするが、この材質・形状に限定されるものではない。この繋ぎ部をさらに備えることにより、液体ガス貯蔵容器の壁面に敷設されたボルトにこの繋ぎ部を取り付けることができるから、これにより、設置の作業性を著しく向上させることができる。この繋ぎ部を設けるべき位置については特に限定されるものではないが、好ましくは枠体の外周であって各枠体のボルト取り付け部が重ならない定位置とする。上記いずれの態様に係る断熱パネル構造に係る構造体が液化ガス貯蔵容器の内壁に取り付けるための施工に便宜となる。
【００３０】
上記のあらゆる態様において、上記ベース部及び上記断熱層部が設置される空間は真空であるとすることができる。真空においては伝熱形態が輻射のみとなり断熱性が飛躍的に向上するので、断熱性を高度に求められる場合にはより好適となる。
【００３１】
また、上記態様に係る断熱パネル構造は、断熱シート材が好ましくは２０枚、スペーサ材が好ましくは２０枚交互に重ねられて成る多層断熱層部を有し、上記第３の断熱層部の断熱シート材及び上記スペーサ材は各１枚以上を重ねて成る断熱層部を有する態様とすることもできる。すなわち好ましくは、断熱シート材たとえば低輻射性材２０枚とスペーサ材２０枚とが交互に重なる２０層の多層的断熱層は、第１の層と第２の層が重なる部分においては４０層の断熱層を有し、層同士の隣接部の切れ間においても第１の層又は第２の層のいずれか２０層の断熱層を有することになる。また、パネル四方コーナー部の各層コーナー点接触部も第３の断熱層がその上部を覆うことになる。
【００３２】
つまり、多層的断熱層パネルが敷設された液化ガス貯蔵容器の壁面は一切むき出しにならず全て多層的断熱層で覆われることになり、輻射伝熱を大幅に抑制／防止することができる。それにさらに真空環境を付加することにすれば、輻射伝熱のみとなるため、断熱性を飛躍的に向上させることができる。
【００３３】
本発明の一実施態様に係る断熱パネル構造は、液化ガス貯蔵容器が間隙部を真空状態にした内容器と外容器とを備えて構成される場合、上記外容器の真空状態側内壁面もしくは内容器の真空状態側外壁面に当該断熱パネル構造が密に並べ取り付けられるとする、多層的真空断熱構造を採用することができる。低温液化ガスの貯蔵保管においては通常様々な形状の保管タンクが用いられるが、その断熱性能を維持するために二重構造の保管タンクが用いられる。本発明の一実施態様においては、二重構造のタンクは、広義には液化ガス貯蔵容器であり、内側タンクを内容器、外側タンクを外容器と定義する。
【００３４】
すなわち、上記課題を解決するための本願発明は、液化ガスを内部に貯蔵するための内容器と、前記内容器を外挿するように配置される外容器と、前記内容器と前記外容器との間に配置され真空状態にある間隙部とを有し、前記外容器の内壁真空面もしくは内容器の外壁真空面には上記いずれかの態様の断熱パネル構造が密に取り付けられている液化ガス貯蔵容器、として実現することもできる。
【００３５】
多層断熱層内の伝熱成分は輻射伝熱項と伝導伝熱項が存在し、液化ガス貯蔵容器の内容器の真空状態外壁への伝熱は、輻射伝熱項のみとすることが望ましい。したがって、本発明の上記態様に係る多層的断熱パネル構造を備えた液化ガス貯蔵容器は、液化ガス貯蔵容器の外容器の真空状態側内壁に多層断熱層を敷設することにより、その断熱効果を最大限に発揮することができる構造であると言える。また、常温に近い外容器の真空状態側内壁に敷設することにより、内容器の真空状態外壁への敷設に比べ支持具材料の制約が少なくなる。
【００３６】
また、上記課題を解決するため、本願発明の一態様に係る断熱パネル構造の製造工法は、シート状に展開できる低輻射性材及び前記低輻射性材と略同様の表面積を有するスペーサ材がそれぞれ１枚以上交互に積層されてなる断熱層部を複数層、四辺を形成する枠材及び該枠材にて囲まれる面を有するベース部の上に、直上下の層が正面視変位するように配設し前記複数層の断熱層部及び前記ベース部を前記面に略直交する方向に枢支部で枢支する第１のステップと、前記第１のステップにおいて前記ベース部と前記複数層の断熱層部とが前記枢支部で枢支された断熱パネル構造を液化ガス貯蔵容器の施工現場に搬入し、前記枠材に付設された繋ぎ部を介して前記液化ガス貯蔵容器の外容器の内壁面もしくは内容器の外壁面に取り付ける第２のステップとを具備する構成とすることができる。
【００３７】
さらにまた、上記課題を解決するため、本願発明の一態様に係る液化ガス貯蔵容器の製造工法は、液化ガスを内部に貯蔵するための内容器を施工する第１のステップと、前記内容器との間に間隙部を設けて前記内容器を外挿するように配置される外容器を施工する第２のステップと、シート状に展開できる低輻射性材及び前記低輻射性材と略同様の表面積を有するスペーサ材がそれぞれ１枚以上交互に積層されてなる断熱層部を複数層、四辺を形成する枠材及び該枠材にて囲まれる面を有するベース部の上に、直上下の層が正面視変位するように配設し前記複数層の断熱層部及び前記ベース部を前記面に略直交する方向に枢支部で枢支されて予め形成された断熱パネル構造を施工現場に搬入する第３のステップと、前記第３のステップにおいて搬入された前記断熱パネル構造を位置決めし、前記枠材に付設された繋ぎ部を介して前記液化ガス貯蔵容器の外容器の内壁面もしくは内容器の外壁面に取り付ける第４のステップとを具備する構成とすることができる。
【００３８】
液化ガス貯蔵容器が間隙部を真空状態にする内容器と外容器とを備えて構成される場合、その間隙部の空間は狭く、多層断熱層を緊密且つ密接に敷設（取り付ける）する作業は煩雑で難しい作業となる。本発明の一実施態様に係る多層的断熱パネル構造を用いた工法を採用することにより、多層的断熱パネル構造は予め工場等でユニットパネルとして多数製造し、液化ガス貯蔵容器製造／施工の際には、壁面のボルトに各多層的断熱パネル構造の上記繋ぎ部を挿入し、例えばナット止めするだけで緊密且つ密接に壁面状の多層的断熱層を形成することができる。また、上記のワンタッチ構造で施工が可能なため、作業性は大幅に向上することとなる。
【発明の効果】
【００３９】
本発明によれば取り扱い易い断熱材の構造を提示することにより、液化ガス貯蔵用の容器にシート状の断熱材が容易に精度よく止着固定され、かつ断熱性能を最も効率的に発揮できる液化ガス貯蔵容器が実現される。
【００４０】
本発明によれば、低温液化ガス貯蔵のための容器本体の製造安全性と製造作業性とを格段に向上させつつ、経済効率も格段に向上させる液化ガス貯蔵容器を提供することができる。
【図面の簡単な説明】
【００４１】
【図１】本発明の一実施形態に係る多層真空断熱層パネルを使用する貯蔵容器（タンク）の全体の断面的イメージを示した概念的断面図である。
【図２】本発明の一実施形態に係る多層真空断熱層パネルを使用する貯蔵容器（タンク）の外容器（外槽）２の円筒部内壁側の見付面を表した部分的立面図である。
【図３】本発明の一実施例として制作された多層真空断熱層パネルの斜視方向からの写真である。
【図４】図２におけるＡ部の詳細見付面を示した部分的立面図である。
【図５】図４のＸ−Ｘ断面図である。
【図５Ａ】本発明の一実施例として制作された多層真空断熱層パネルの斜視方向からの写真である。
【図５Ｂ】本発明の一実施例として制作された多層真空断熱層パネルの取り合いの詳細を斜視方向からの写真である。
【図６】図２におけるＢ部の詳細見付面を示した部分的立面図である。
【図７】本発明の一実施形態に係る多層断熱層パネルの基台となるパネル基台構造を正面からの見付で示す概念的正面図である。
【図８】本発明の一実施形態に係る多層断熱層パネルとして、パネル基台構造上に、多層断熱層ＳＩの第１層（下段）１１、第２層（上段）１２、第３層（最上段）１３が所定の位置に重層配置される態様を正面からの見付で示す概念的正面図である。
【図９】本発明の一実施形態に係るＳＩを構成する各多層断熱層の断面を示す概念図である。
【図１０】本発明の一実施形態に係る多層断熱層パネルとして、パネル基台構造上に、多層断熱層ＳＩの第１層（下段）１１、第２層（上段）１２、第３層（最上段）１３が所定の位置に重層配置される態様を正面からの見付で示す概念的正面図について、特に上記各層の取り合い箇所の詳細を説明するための概念的正面図である。
【図１１】図１０のＡ−Ａ断面図である。
【発明を実施するための形態】
【００４２】
以下、図面を参照して本発明を実施するための形態について説明する。なお、以下では本発明の目的を達成するための説明に必要な範囲を模式的に示し、本発明の該当部分の説明に必要な範囲を主に説明することとし、説明を省略する箇所については公知技術によるものとする。
【００４３】
本発明の一実施形態に係る多層真空断熱層パネルの多層真空断熱層を以下、「ＳＩ」（Ｓｕｐｅｒ  Ｉｎｓｕｌａｔｉｏｎ）と称する。
【００４４】
図１は、本発明の一実施形態に係る多層真空断熱層パネルを使用する貯蔵容器（タンク）の全体の断面的イメージを示した概念的断面図である。同図において、中央の一点鎖線による中心線を軸に右側が断面、左側が立面を表している。本発明の一実施形態に係る多層真空断熱層パネルを使用する貯蔵容器（タンク）１は、外容器（外槽）２と内容器（内槽）３との二重槽を有して構成される。同図において、外容器（外槽）２、内容器（内槽）３は、それぞれ、一定の厚さを有する微視平板形状で巨視円筒形状をもった材であって、たとえば外容器（外槽）２は鉄筋コンクリート材、内容器（内槽）３は金属板（好適にはたとえばステンレス鋼板）、として形成されるものであるが、素材はこれらに限定されるものではない。なお、同図においては、外容器（外槽）２、内容器（内槽）３それぞれシングルラインで表示されているが、これは模式的な図法であり、実際には板厚分の厚さを持ったものである。このとき、図示はされていないが、本発明の一実施形態に係るＳＩが、たとえば外容器（外槽）２の内壁側に、後述される態様で取り付けられている。
【００４５】
図２は、本発明の一実施形態に係る多層真空断熱層パネルを使用する貯蔵容器（タンク）の外容器（外槽）２の円筒部内壁側の見付面を表した部分的立面図であり、図３は、これらの実施例として制作された多層真空断熱層パネルの斜視方向からの写真である。同両図においては、貯蔵容器（タンク）側面部に施工する多層断熱層パネルの一形態が縦長タイプとして示されており、Ａ部は上部取付け部を示し、Ｂは下部取付け部を示している。同両図に示されるように、本発明の一実施形態に係る多層真空断熱層パネル１００は、枠材９（好適には金属製アングル材。たとえばアングル２ｔ×２０ｍｍ）によって四周が形成され、この枠材９の前面にシート材８（好適には金属製メッシュ材。たとえば０．４φ×１４ｍｍメッシュ）が取り付けられて（好適には溶接されて）形成される。１枚の多層真空断熱層パネル１００はたとえばＷ９００ｍｍ×Ｈ１８００ｍｍの平板状構造をもち、面剛性確保のために、リブ材１０２（好適には金属製フラットバー材。たとえばＦＢ３ｔ×１０ｍｍ）が、たとえば縦方向に１本、横方向に２本取り付けられて形成される。
【００４６】
図４は、図２におけるＡ部の詳細見付面を示した部分的立面図であり、図５は、図４のＸ−Ｘ断面図である。図５Ａは、これらの実施例として制作された多層真空断熱層パネルの斜視方向からの写真であり、図５Ｂは、これらの実施例として制作された多層真空断熱層パネルの取り合いの詳細を斜視方向からの写真である。これらの図４、図５、図５Ａ、図５Ｂに示されるように、枠材９の上辺の角部より若干中心よりの位置に、外容器（外槽）２の内壁側に突設するように繋ぎ部材１０（好適には金属製アングル材。たとえばアングル２ｔ×２０ｍｍ）が枠材９と背中合わせに摺接して固定される。固定にはたとえば隅肉溶接が用いられる。この繋ぎ部材１０は外容器（外槽）２の内壁側との接合面の略中央付近に穴１０１が穿設されている。この穴１０１は、外容器（外槽）２の内壁側の所定位置にたとえば溶接によって取り付けられたスタッドボルト２０を挿通させることができる程度の寸法（たとえばφ１０ｍｍ）を有しており、穴１０１を挿通したスタッドボルト２０はフランジナット２１によって繋ぎ部材１０と緊結されている。
【００４７】
図６は、図２におけるＢ部の詳細見付面を示した部分的立面図である。断面図は省略する。また、Ｂ部における繋ぎ部材１０については、図４及び図５の場合と基本構造は共通するので、説明は省略する。
【００４８】
図７は、本発明の一実施形態に係る多層断熱層パネルの基台となるパネル基台構造を正面からの見付で示す概念的正面図である。同図に示されるように、本発明の一実施形態に係る多層断熱層パネルのパネル１００は、外周部を枠体９で覆われたベース材（例えば網状体）で、上部及び下部にパネル取付け部である繋ぎ部材１０を有する。材質を特に限定するものではないが好ましくはステンレス鋼がよい。これは耐食性及び低ガス放出性等の性質から選択されたものである。
【００４９】
図８は、本発明の一実施形態に係る多層断熱層パネルとして、パネル基台構造上に、多層断熱層ＳＩの第１層（下段）１１、第２層（上段）１２、第３層（最上段）１３が所定の位置に重層配置される態様を正面からの見付で示す概念的正面図である。同図に示されるように、本発明の一実施形態に係る多層断熱層パネルのパネル１００には、多層断熱層ＳＩが、枢支部であるタグピン６によって、及び熱制御テープ１４によって貼付される。例えば、多層断熱層ＳＩの第１層（下段）１１は、同図に下段２０層として示されるように、パネル１００に対して斜め右下方向に一定寸法ずらした態様で貼付される。また多層断熱層ＳＩの第２層（上段）１２は、同図に上段２０層として示されるように、パネル１００に対して斜め左上方向に一定寸法ずらした態様で貼付される。これに加えて、第３層（最上段）１３は、同図に最上段１層として示されるように、第２層１２の表面に更に斜め左上方向に一定寸法ずらした態様で貼付される。
【００５０】
図９は、本発明の一実施形態に係るＳＩを構成する各多層断熱層の断面を示す概念図である。なお、同図では、第３層（最上段）１３の表記を省略している。層間熱伝導を小さくするため、層間接触圧を極力小さくするべく、多層断熱層ＳＩの第１層（下段）１１、第２層（上段）１２は、それぞれ、アルミ蒸着シート４及びＰＥｓ（ポリエステル）不織布シート５が交互に重ねあわされて積層・構成されている。ここで、アルミ蒸着シート４はＰＥｓ（ポリエステル）シートにアルミニウムを蒸着させた断熱シートである。ＰＥｓ（ポリエステル）不織布シート５をアルミ蒸着シート４―アルミ蒸着シート４間にスペーサ材として介在させることによって、アルミ蒸着シート４同士の接触を避けつつ間隙を設けることにより断熱効果を上げている。
【００５１】
図１０は、本発明の一実施形態に係る多層断熱層パネルとして、パネル基台構造上に、多層断熱層ＳＩの第１層（下段）１１、第２層（上段）１２、第３層（最上段）１３が所定の位置に重層配置される態様を正面からの見付で示す概念的正面図について、特に上記各層の取り合い箇所の詳細を説明するための概念的正面図であり、図１１は、図１０のＡ−Ａ断面図である。同図に示されるように、ＳＩ端面においては、層方向の温度勾配を揃え、高温側シールドと低温側シールドが接触しない構造とする。
【００５２】
同図に示されるように、本発明の一実施形態に係る多層断熱層パネルは、各パネルが壁面に左右上下に並列に取付け施工された結果、好適には、それぞれのパネル間隙が一定寸法ずらして貼付された多層断熱層ＳＩ（第１層下段（２０層）１１及び第２層上段（２０層）１２）が上から覆う形態となる。これにより全ての壁面は、多層断熱層ＳＩにより覆いかぶされる形態となる。また、第３層（最上段）１３は、第２層上段（２０層）１２を隣接パネルにＳＩの接触圧増加を抑制しつつ止着するとともに、各パネルの四方コーナー部の間隙を上から覆う形態となる。
【００５３】
但し、前記右下及び左上の方向については、左右上下方向のひとつの中心点対称の方向性の例示であって、これらは左右上下方向に同様に中心点対称であれば良いことは言うまでもない。また重ね順番を変えても本発明に係る技術思想の範囲内であることに変わりはない。
【００５４】
このように本発明の一実施形態に係る多層断熱層パネルは、それが取付けられる壁面を全面的に間隙なく覆うことができるため、著しく高い断熱効果を奏することができる。第１層（下段）１１及び第２層（上段）１２における単体断熱シートが各々２０層を重ね束ねた例を上記で示したが、この層数に限定されるものではなく、また第３層（最上段）１３は単体断熱シートが１層以上であってよい。
【００５５】
次に、本発明の一実施形態に係るＳＩを用いた側部・屋根部断熱構造の施工法について説明する。
【００５６】
ＳＩ層数は、既存の文献から、積層数に対する効果が大きいと考えられる、たとえば４０層とする。
【００５７】
ＳＩ取付けは、内槽・外槽完成後に行う。ＳＩ設置位置は外槽内側とする。外槽内側は、ほぼ外気温度であるため、支持具材料の制約が少ない。また、外槽内側にSIを設置することで、内槽への伝熱形態を輻射伝熱のみとすることができる。
【００５８】
図１０に示されるように、ベース材（網状体）である金網８を張ったパネルにタグピン６でＳＩを固定したものを工場で製作し、それを現地で取付ける工法を採用する。タグピン６でＳＩを締結することで、ＳＩの接触圧増加を抑制する。現地でのパネル取付けは、予め外容器に設置したスタッドボルト２０にパネル取付け孔を挿入し、フランジナット２１で固定する。材質は、パネル枠組及び金網は好ましくはステンレス、タグピン６は好ましくはＰＥＥＫ（ポリエーテルエーテルケトン樹脂）とする。ＳＩは１層＋２０層＋２０層をパネルに対して交互にずらしてタグピン６で枢止する。これにより、端部に隙間ができた場合でも、外槽内面から内槽外面が直接見えないようにする。
【００５９】
タグピン６とは、商品のタグ付け用に幅広く利用されている樹脂性のピンのことである。本発明の一実施形態に係る多層断熱層パネルでは、ＳＩの層間枢止の手段としてタグピンを用いる。タグピンは図１１に示されるように、たとえばＩ字体形状を有し、片側にパドルと称するＴ字止めともう片側にＴバーと称するＴ字止めとをフィラメント線で連結したピンである。
【００６０】
ＳＩ端部をミシンで縫製する従来方法では、縫製部で層間が圧縮されることによる著しい断熱性能劣化が認められ、問題があった。この点を解決するべく、本願では、層間を圧縮することなく相互に枢止することが可能なタグピン構造を採用したものである。タグピンはタグピン打ち込み機（ハンディータイプの専用タグガン）によって簡単に多層断熱層を点結できる点結材となる。
【００６１】
タグピンで枢止することにより、アルミ蒸着シートと不織布シートは必要以上に圧縮されず互いのシート間隙を保ち、熱伝導を最小限におさえる多層断熱層が形成される。
【００６２】
図６、図２、図３、図４に示されるように、本発明の一実施形態に係る多層断熱層パネルの上部パネル取付け部１０と下部パネル取付け部１０とは、施工の際、重なりを避けるよう位置が配慮されており、連続取付け施工がしやすい形態となっている。また、パネル同士の間隙は、多層断熱層が上部を覆う形態となるため、断熱性能は十分維持される。
【００６３】
図５、図５Ａ、図５Ｂに示されるように、本発明の一実施形態に係る多層断熱層パネルは、例えばパネル取付け部の開口部を壁側に施工されたスタットボルト（Ｍ６）２０に挿入し、フランジナット２１で締結する。こうした構造を有することにより、施工作業が極めて容易にでき且つ壁面を多層断熱層が密に覆うため、断熱性能を最も発揮し易い。
【００６４】
なお、本発明は上述した実施形態に限定されるものではなく、本発明の主旨を逸脱しない範囲内で種々変更して実施することが可能である。これらはすべて、本発明に係る技術思想の一部であり、いずれの形態も本技術思想の範囲内のものである。
【００６５】
たとえば、上記形態においては、ベース材が平面を形成しこのベース材の四辺を直線材たる枠材が囲む場合を例にとって説明したが、本発明はこの形態に限定されるものではなく、たとえば、四辺の枠材を曲げて、ベース材を「曲面」とした、（横置き型／縦置き型）タンク内容器用パネルとして、及び容器としても実現され、これらの形態も本技術思想の範囲内のものである。
【００６６】
また、上記実施形態では、液化ガス貯蔵容器の外容器の真空状態側内壁面に多層的断熱パネル構造を配設する場合を例にとって説明したが、本発明はこの形態に限定されるものではなく、たとえば、内容器の外壁面に多層的断熱パネル構造を配設するようにしてもよく、あるいは、外容器の内壁面及び内容器の外壁面に多層的断熱パネル構造を配設するようにしてもよく、すべて本願の技術思想の範囲に包摂される。
【産業上の利用可能性】
【００６７】
上述したように、本願に係る発明によれば、取り扱い易い断熱材の構造、及び液化ガス貯蔵用の容器にシート状の断熱材を容易に精度よく止着固定することができ、かつ断熱性能を最も効率的に発揮できる液化ガス貯蔵容器が実現される。
【００６８】
本発明によれば、低温液体ガス貯蔵のための容器本体の製造安全性と製造作業性を格段に向上させつつ、経済効率も格段に向上させることの可能な液化ガス貯蔵容器が実現される。
【００６９】
したがって、本発明は、その液体水素の貯蔵における断熱構造に限定されることなく、あらゆる素材の限定低温度保存及び貯蔵用途に対しても、利用・適用可能である。よって、本願は、エネルギー産業をはじめとする各種産業に対して大きな利用可能性をもたらすものである。
【符号の説明】
【００７０】
１  液化ガス貯蔵容器（タンク）
２  外容器（外槽）
３  内容器（内槽）
４  アルミ蒸着シート
５  不織布シート
６  タグピン（Ｔａｇ−ｐｉｎ）
８  ベース材（網状体）
９  枠体
１０  パネル取付け部（取付け孔）
１１  第１層（下段）
１２  第２層（上段）
１３  第３層（最上段）
１４  熱制御テープ
２０  スタッドボルト（Ｍ６）
２１  フランジナット
１００  多層断熱層パネル
【図１】
2019183427.tif 000003
【図２】
2019183427.tif 000004
【図３】
2019183427.tif 000005
【図４】
2019183427.tif 000006
【図５】
2019183427.tif 000007
【図５Ａ】
2019183427.tif 000008
【図５Ｂ】
2019183427.tif 000009
【図６】
2019183427.tif 000010
【図７】
2019183427.tif 000011
【図８】
2019183427.tif 000012
【図９】
2019183427.tif 000013
【図１０】
2019183427.tif 000014
【図１１】
2019183427.tif 000015